(57)【要約】【課題】使用者が混色によって所望の色を容易に作り出すことできるパレットを提供する。【解決手段】パレット１１は、取り出した絵の具を載せる複数の載置部１６と、絵の具を調合する調合部１５と、混色の前後における原料色と生成色との関係を表示する混色見本部２２とを備えている。【選択図】図３
0003174491.tif 000002
【実用新案登録請求の範囲】
【請求項１】
取り出した絵の具を載せる複数の載置部と、絵の具を調合する調合部と、混色の前後における原料色と生成色との関係を表示する混色見本部とを備えることを特徴とするパレット。
【請求項２】
前記混色見本部を前記載置部の近傍に設けたことを特徴とする請求項１に記載のパレット。
【請求項３】
前記混色見本部は、原料色の組み合わせと、原料色の混色割合とを示すことを特徴とする請求項１又は請求項２に記載のパレット。
【請求項４】
前記混色見本部は、数式を模して原料色と生成色との関係を示すことを特徴とする請求項１〜請求項３のいずれか一項に記載のパレット。
【請求項５】
各載置部に載せる絵の具の色を表示する色表示部を備えるとともに、前記色表示部には各色に対応した記号がそれぞれ付されており、
前記混色見本部は、前記記号を用いて原料色の組み合わせを示すことを特徴とする請求項１〜請求項４のいずれか一項に記載のパレット。
【考案の詳細な説明】
【技術分野】
【０００１】
本考案は、水彩画等を描く際に使用されるパレットに関する。
【背景技術】
【０００２】
従来、水彩画等を描く際に使用されるパレットとしては、取り出した絵の具を載せる載置部と、絵の具を調合する調合部とを備えるパレットが知られている。例えば、非特許文献１のパレットにおいては、パレットの上縁に沿って並ぶように複数の載置部が凹設されるとともに、その他の部分に大小サイズの異なる複数の調合部が凹設されている。また、非特許文献１のパレットには、意図しない混色の防止等を目的として、載置部の上側に各載置部に載せるべき絵の具の色を示す色配列シール（色表示部）が貼り付けられている。
【先行技術文献】
【非特許文献】
【０００３】
【非特許文献１】「ぶんけい２０１０年度教材教具カタログ」、株式会社文溪堂、２０１０年３月、ｐ４０
【考案の概要】
【考案が解決しようとする課題】
【０００４】
ところで、絵の具を用いて絵を描く際には、所有する絵の具を混ぜ合わせて別の色を作り出す混色が一般的に行われている。しかしながら、絵の具の使用に不慣れな初心者のように、混色の前後における色の関係を理解できていない者にとっては、混色によって所望の色を作り出すことは困難な作業である。
【０００５】
本考案は、こうした従来の実情に鑑みてなされたものであり、その目的は、使用者が混色によって所望の色を容易に作り出すことのできるパレットを提供することにある。
【課題を解決するための手段】
【０００６】
上記の目的を達成するために請求項１に記載のパレットは、取り出した絵の具を載せる複数の載置部と、絵の具を調合する調合部と、混色の前後における原料色と生成色との関係を表示する混色見本部とを備えることを特徴とする。上記構成によれば、使用者は、混色見本部を参照することにより、所望の色を容易に作り出すことができる。
【０００７】
請求項２に記載のパレットは、請求項１に記載の考案において、前記混色見本部を前記載置部の近傍に設けたことを特徴とする。上記構成によれば、混色見本部と載置部に載置された絵の具とを同時に見ることができるため、混色見本部を確認しつつ容易に混色を行うことができる。
【０００８】
請求項３に記載のパレットは、請求項１又は請求項２に記載の考案において、前記混色見本部は、原料色の組み合わせと、原料色の混色割合とを示すことを特徴とする。上記構成によれば、どの程度の割合で原料色を混色すれば所望の色が得られるかを容易に把握することができる。
【０００９】
請求項４に記載のパレットは、請求項１〜請求項３のいずれか一項に記載の考案において、前記混色見本部は、数式を模して原料色と生成色との関係を示すことを特徴とする。上記構成によれば、例えば、幼年者のように混色の概念を明確に把握できてない者であっても、馴染みのある数式を用いて表示されることにより、原料色を足し合わせた結果として生成色が得られるという概念を感覚的に理解しやすくなる。そのため、小学校等の指導現場において特に有用となる。
【００１０】
請求項５に記載のパレットは、請求項１〜請求項４のいずれか一項に記載の考案において、各載置部に載せる絵の具の色を表示する色表示部を備えるとともに、前記色表示部には各色に対応した記号がそれぞれ付されており、前記混色見本部は、前記記号を用いて原料色の組み合わせを示すことを特徴とする。
【００１１】
色の種類が近い場合（例えば、赤色と朱色）や光の関係によって、色覚的な色情報のみでは混色見本部における原料色の種類が特定し難い場合があるが、上記構成によれば、色表示部に対応付けられた記号を参照することにより、原料色の種類を確実に特定することができる。
【考案の効果】
【００１２】
本考案のパレットによれば、使用者は混色によって所望の色を容易に作り出すことができる。
【図面の簡単な説明】
【００１３】
【図１】開状態のパレットを示す斜視図。
【図２】閉状態のパレットを示す斜視図。
【図３】パレット内面に設けられた混色見本部を示す部分拡大図。
【図４】別例の開状態のパレットを示す斜視図。
【図５】別例の混色見本部及び色表示部を示す部分拡大図。
【考案を実施するための形態】
【００１４】
以下、本考案のパレットの実施形態を図面に基づいて説明する。
図１及び図２に示すように、パレット１１は長四角板状をなす一対の第１パレット板１２及び第２パレット板１３を備えている。第１パレット板１２及び第２パレット板１３は、長側縁部分においてヒンジ部１４を介して回動自在に連結されている。そして、パレット１１はヒンジ部１４を軸として第１パレット板１２及び第２パレット板１３を相対的に回動させることによって、図１に示す開状態と図２に示す閉状態とに開閉可能に構成されている。
【００１５】
図１に示すように、第１パレット板１２の使用面である表面には、長側縁に沿って並ぶ３つの凹状の調合部１５が設けられている。また、第２パレット板１３の使用面である表面には、一方側の短側縁及び外側に位置する長側縁に沿って、取り出した絵の具を載せるための凹状の載置部１６が複数、Ｌ字状に一列に並設されている。そして、第２パレット板１３の中央部には円孔状の指掛孔１７が貫設されるとともに、指掛孔１７を囲むように大小サイズの異なる３つの凹状の調合部１５が設けられている。
【００１６】
また、第１パレット板１２の外側に位置する長側縁の中央部には、表面側に突出する係合凸部１８が設けられるとともに、第２パレット板１３の外側に位置する長側縁の中央部には係合凹部１９が設けられている。そして、第１パレット板１２の係合凸部１８と第２パレット板１３の係合凹部１９とが係合することにより、パレット１１の閉状態が維持されるようになっている。
【００１７】
図１及び図３に示すように、第２パレット板１３の表面において、第２パレット板１３の長側縁と、その長側縁に沿って並設された載置部１６との間には、略一定幅の平面部分が形成されるとともに、その平面部分にはシール２０が貼り付けられている。このシール２０には色表示部２１及び混色見本部２２が印刷されている。以下、シール２０に設けられる色表示部２１及び混色見本部２２について具体的に説明する。
【００１８】
図３に示すように、色表示部２１は、長側縁に沿って並設された各載置部１６に対して一つずつ、載置部１６と同数設けられている。そして、各色表示部２１は、対応する載置部１６にそれぞれ隣接するように、載置部１６の列に対して並列に配置されている。各色表示部２１は隣接する載置部１６に載置する絵の具の色を表示する部位であり、それぞれ隣接する載置部１６に載置する絵の具の色に色分けされている。なお、図面においては色表示部２１の色表現を省略しているが、実際にはそれぞれ対応する色に色付けされている。
【００１９】
図３に示すように、混色見本部２２は、幾つかの代表的な混色例２３を表示するものであり、シール２０における色表示部２１の上部側（長側縁側）に配置されている。混色例２３は、二種以上の原料色の組み合わせ及び原料色の混色割合と、原料色を混色して得られる生成色との関係を、数式（加算式）を模して表示している。
【００２０】
上記混色例２３において、原料色の組み合わせについては、該当する原料色にて色付けした色付部分２３ａをそれぞれ設けることによって色覚的に表現している。そして、原料色の混色割合については、色付部分２３ａの大きさ（面積）をそれぞれ異ならせることによって表現している。また、混色例２３における生成色についても、該当する生成色にて色付けした色付部分２３ｂを設けることによって色覚的に表現している。なお、図面においては色付部分２３ａ，２３ｂの色表現を省略しているが、実際にはそれぞれ対応する色に色付けされている。
【００２１】
次に、本実施形態のパレット１１の使用方法及び作用について説明する。
図２に示す閉状態のパレット１１を使用するには、先ず係合凸部１８と係合凹部１９との係合を解除するととともに、第１パレット板１２及び第２パレット板１３を相対的に回動させて、図１に示す開状態とする。そして、開状態のパレット１１に対し、色表示部２１の色表示に基づいて各載置部１６に対応する色の絵の具をそれぞれ小出しにする。
【００２２】
絵の具の混色を行う場合には、混色見本部２２に示された混色例２３を参照して、所望の生成色を得るために必要となる原料色の組み合わせ、及びその混色割合を確認する。そして、必要となる原料色を各載置部１６に小出しにされた絵の具から選択し、その絵の具を混色例２３に示した混色割合で調合部１５に取り出し、調合部１５にて混色することによって所望の色を得ることができる。なお、開状態のパレット１１は、例えば指掛孔１７に親指を挿入し、第２パレット板１３を片手で支持して使用される。
【００２３】
次に、本実施形態における効果について以下に記載する。
（１）パレット１１は、混色の前後における原料色と生成色との関係（混色例２３）を表示する混色見本部２２を備えている。上記構成によれば、使用者は、混色見本部２２を参照することにより、所望の色を容易に作り出すことができる。そのため、混色の前後における原料色と生成色との関係を理解できていない者であっても、他者の補助を受けることなく自身の能力のみで、所望の色を混色によって作り出すことができる。また、教育現場において混色について指導する際に、混色見本部２２の混色例２３を参照しながら指導することによって、効率的且つ的確に生徒に混色を教えることができる。
【００２４】
（２）混色例２３は、原料色の組み合わせと、原料色の混色割合とを表示するものである。上記構成によれば、どの程度の割合で原料色を混色すれば所望の色が得られるかを容易に把握することができる。
【００２５】
（３）混色例２３は、数式（加算式）を模して原料色と生成色との関係を表示するものである。上記構成によれば、例えば、幼年者のように混色の概念を明確に把握できてない者であっても、馴染みのある数式によって表示されることにより、原料色を合わせた結果として生成色が得られるという概念を感覚的に理解しやすくなる。そのため、小学校等の指導現場において特に有用となる。
【００２６】
（４）小出しにした絵の具を載置する載置部１６の近傍に混色見本部２２を配置している。上記構成によれば、混色見本部２２と載置部１６に載置された絵の具とを同時に見ることができる。そのため、混色見本部２２に示される混色例を確認しながら、各載置部１６に小出しにされた絵の具から原料色となる絵の具を容易に選択することができる。
【００２７】
（５）各載置部１６に載せる絵の具の色を表示する色表示部２１を備えている。そして、色表示部２１及び混色見本部２２は該当する色に色付けされることによって、色を色覚的に表現している。混色例２３に示された原料色が、例えば赤色と朱色のように類似色が存在する色であると、原料色が何色であるかを把握することが困難になる場合がある。このとき、混色例２３に示された原料色の色と、近傍に配置された各色表示部２１の色とを比較することによって、原料色がどの載置部１６に載置されているかを容易且つ的確に把握することができる。
【００２８】
（６）シール２０に色表示部２１と混色見本部２２を印刷することにより、色表示部２１と混色見本部２２とを一体的に設けている。上記構成によれば、混色見本部２２を追加することによる部品点数の増加を抑制することができるとともに、混色見本部２２を色表示部２１の近傍に配置することができる。
【００２９】
なお、本実施形態は、次のように変更して具体化することも可能である。また、次の変更例を互いに組み合わせ、その組み合わせの構成のように上記実施形態を変更することも可能である。
【００３０】
・  混色見本部２２の配置位置は特に限定されるものではない。例えば、図４に示すように、第２パレット板１３の短側縁側に設けた載置部１６の近傍にも混色見本部２２を配置するようにしてもよい。また、載置部１６や色表示部２１の近傍以外の部位に混色見本部２２を配置してもよく、例えば、第１パレット板１２の表面に混色見本部２２を配置してもよいし、パレット１１を閉状態としたときに外面となる両パレット板の裏面側に混色見本部２２を配置してもよい。
【００３１】
さらには、第１パレット板１２及び第２パレット板１３以外の構成を追加し、その構成に混色見本部２２を配置してもよい。例えば、第２パレット板１３に対して引き出し状の部材を設け、その部材の表面に混色見本部２２を配置してもよい。この場合、必要なとき以外には混色見本部２２を第２パレット板１３の内部に収納しておくことができるため、混色見本部２２を設けたことによるパレット１１のサイズの増大を抑制することができる。
【００３２】
・  混色見本部２２における混色例２３の数、及び種類は特に限定されるものではない。
・  混色例２３の表示内容は特に限定されるものではない。例えば、上記実施形態では、原料色の組み合わせと混色割合とを共に示していたが、混色割合の表示を省略してもよい。
【００３３】
・  混色見本部２２における混色例２３の表示形式は特に限定されるものではない。具体的には、上記実施形態では、加算式を模して原料色と生成色との関係を表示していたが、乗算式を模して原料色と生成色との関係を表示してもよい。また、一部分が重なる２つの円を描き、各円の重なっていない部分に各原料色を表示するとともに、重なっている部分に生成色を表示するようにしてもよい。
【００３４】
また、上記実施形態では、原料色を示す部位（色付部分２３ａ）の大きさを異ならせることにより原料色の混色割合を表示していたが、他の方法により原料色の混色割合を表示してもよい。例えば、原料色を示す部位を立体的に表示し、その高さを異ならせることにより混色割合を表示してもよいし、原料色を示す部位の近傍に混色割合や混色比を示す数値等を記載するようにしてもよい。
【００３５】
また、図５に示すような表示形式の混色例２３であってもよい。図５に示す例では、各色表示部２１に対して、それぞれが表示する色に対応した記号Ａ〜Ｄが付されている。そして、混色例２３における原料色を示す各部位（色付部分２３ａ）の近傍に、その原料色と同色の色を表示する色表示部２１に付された記号が記載されている。このように、混色例２３の原料色を示す各部位及び色表示部２１に対して、各色に対応した共通の記号を付した場合には、原料色の種類をより確実に特定することができるようになる。つまり、色の種類が近い場合（例えば、赤色と朱色）や光の関係によって、色覚的な色情報のみでは混色例２３における原料色の種類が特定し難い場合があるが、色表示部２１に対応付けられた記号を参照することにより、原料色の種類を確実に特定することができる。
【００３６】
・  上記実施形態では、色表示部２１及び混色見本部２２を一枚のシール２０により一体に形成していたが、それぞれ別々の部材として構成してもよい。また、色表示部２１及び混色見本部２２はシール２０に限定されるものではない。例えば、第２パレット板１３上に直接描かれたものであってもよい。
【００３７】
・  調合部１５及び載置部１６の配置構成や指掛孔１７の設置の要否等、パレット１１の基本的構成は特に限定されるものではなく、どのように構成されていてもよい。また、色表示部２１を備えない構成であってもよい。
【符号の説明】
【００３８】
１１…パレット、１２…第１パレット板、１３…第２パレット板、１４…ヒンジ部、１５…調合部、１６…載置部、２０…シール、２１…色表示部、２２…混色見本部、２３…混色例、２３ａ，２３ｂ…色付部分。
【図１】
0003174491.tif 000003
【図２】
0003174491.tif 000004
【図３】
0003174491.tif 000005
【図４】
0003174491.tif 000006
【図５】
0003174491.tif 000007